(57)【要約】【課題】表面シートが吸収体から浮き上がらず、吸収性に優れ、装着感等の使用感が良好な吸収性物品を提供すること。【解決手段】物品１の長手方向に延びる畝部２０と溝部３０を交互に有し、溝部３０に開孔３１を有する不織布からなる表面シート１０を備える。側方溝６０が、物品１の長手方向に延びるように、幅方向の左右の側部域に形成されている。側方溝６０は、排泄部対向領域Ａにおいて、畝部２０と略平行な直線部分６０Ａを有し、かつ排泄部対向領域Ａと前方領域Ｂ及び後方領域Ｃそれぞれとの境界域において、直線部分６０Ａの端部に連結して幅方向の中央方向又は外方向に向かう斜行部分６０Ｄ，６０Ｅを有する。【選択図】図１
2010063945.tif 000002
【特許請求の範囲】
【請求項１】
肌当接面側に配された液透過性の表面シート、非肌当接面側に配された裏面シート及びこれら両シート間に配された吸収体を具備する縦長の吸収性物品において、
前記物品は、排泄部対向領域と、該領域の前記物品長手前後方向に位置する前方領域及び後方領域を有し、
前記物品は、該物品の長手方向に延びる畝部と溝部を交互に有し、該溝部に開孔を有する不織布からなる前記表面シートを備え、
前記物品の長手方向に延び、かつ前記表面シート及び前記吸収体を一体的に圧縮してなる側方溝が、前記排泄部対向領域における幅方向の左右の側部域に形成されており、
前記側方溝は、前記排泄部対向領域において、前記表面シートに形成された前記畝部と略平行な直線部分を有し、かつ前記排泄部対向領域と前記前方領域及び前記後方領域それぞれとの境界域において、該直線部分の端部に連結して幅方向の中央方向又は外方向に向かう斜行部分を有し、
前記側方溝内に、該側方溝の延びる方向に沿って、高圧搾部及び低圧搾部が交互に形成されている吸収性物品。
【請求項２】
前記側方溝における前記直線部分が、前記溝部と重なる位置に形成されている請求項１記載の吸収性物品。
【請求項３】
前記側方溝内の前記高圧搾部の底面形状は、該側方溝における前記直線部分の延びる方向に対して傾斜する方向に長手方向を有するように延びる形状である請求項１又は２記載の吸収性物品。
【請求項４】
前記表面シートの前記畝部の幅と、前記側方溝の前記直線部分の幅とが略等しくなっている請求項１ないし３のいずれかに記載の吸収性物品。
【請求項５】
前記表面シート及び前記吸収体を一体的に圧縮してなる前方溝及び後方溝が、前記前方領域及び前記後方領域に、前記物品の幅方向に延びるようにそれぞれ形成されている請求項１ないし４のいずれかに記載の吸収性物品。
【請求項６】
前記排泄部対向領域の側方に一対のウイング部が形成されており、
ウイング部の下着対向面に下着固定用の粘着部が形成されており、
該粘着部は、吸収性物品を下着に装着して該ウイング部を下着の股下部に固定した状態下において、該粘着部が前記側方溝を幅方向にまたぐ位置に形成されている請求項１ないし３の何れかに記載の吸収性物品。
【請求項７】
前記側方溝における斜行部分では、前記高圧搾部の底面形状が、前記物品の幅方向に略平行に延びる形状である請求項１ないし６のいずれかに記載の吸収性物品。
【発明の詳細な説明】
【技術分野】
【０００１】
本発明は、生理用ナプキンや使い捨ておむつなどの吸収性物品に関する。
【背景技術】
【０００２】
従来、生理用ナプキンや使い捨ておむつ等の体液吸収性物品は、透液性表面シートと、不透液性裏面シートと、これら両シートの間に介在する吸液性コアとで構成されている。表面シートとしては、不織布や穿孔された合成樹脂フィルムが使用される。そして、表面シートとして、導液管を有する開孔シートや、畝溝構造を有するシート等の様々な形状を付与したものを用いることで、肌触りや吸収性を向上させる提案がなされている（例えば特許文献１参照）。また、表面シート及び吸収体に連続的な窪みである圧搾溝を形成し、防漏性や可撓性を向上させる提案もなされている（例えば特許文献２参照）。
【先行技術文献】
【特許文献】
【０００３】
【特許文献１】特開平１１−３４２１５４号公報
【特許文献２】特開２００６−３２５６３９号公報
【０００４】
特許文献１には、畝溝構造を有する表面シートを有し、幅方向の内側に向かって凸状に湾曲した圧搾条溝が形成された吸収性物品が記載されている。この吸収性物品においては、表面シートの畝溝構造が、原反シートを波状に加工して形成されているので、圧搾条溝等の形成に起因して畝部が吸収体へ固着されことによって表面シートが潰され易い。そして、その影響が、固着された畝部で広がり易い。さらに、圧搾条溝の湾曲した形状に起因して、表面シートの潰される範囲が広がってしまうので、畝溝による体液の縦拡散効果が喪失し易い。また、表面シートによるクッション効果（柔軟弾性）も薄れてしまう。
【０００５】
特許文献２には、幅方向の外方に向かって凸状に湾曲した圧搾条溝が、中央部に形成された吸収性物品が記載されている。圧搾条溝のうち、長手方向に延びる部分には、その一部に幅方向に内向きに窪んだ部分が存在している。このような形状の圧搾条溝も、上述した特許文献１と同様に、表面シートによる液拡散効果とクッション感（柔軟弾性）の喪失の原因となりやすい。
【発明の概要】
【発明が解決しようとする課題】
【０００６】
本発明の目的は、前述した従来技術が有する欠点を解消し得る吸収性物品を提供することにある。
【課題を解決するための手段】
【０００７】
本発明は、肌当接面側に配された液透過性の表面シート、非肌当接面側に配された裏面シート及びこれら両シート間に配された吸収体を具備する縦長の吸収性物品において、
前記物品は、排泄部対向領域と、該領域の前記物品長手前後方向に位置する前方領域及び後方領域を有し、
前記物品は、該物品の長手方向に延びる畝部と溝部を交互に有し、該溝部に開孔を有する不織布からなる前記表面シートを備え、
前記物品の長手方向に延び、かつ前記表面シート及び前記吸収体を一体的に圧縮してなる側方溝が、前記排泄部対向領域における幅方向の左右の側部域に形成されており、
前記側方溝は、前記排泄部対向領域において、前記表面シートに形成された前記畝部と略平行な直線部分を有し、かつ前記排泄部対向領域と前記前方領域及び前記後方領域それぞれとの境界域において、該直線部分の端部に連結して幅方向の中央方向又は外方向に向かう斜行部分を有し、
前記側方溝内に、該側方溝の延びる方向に沿って、高圧搾部及び低圧搾部が交互に形成されている吸収性物品を提供するものである。
【発明の効果】
【０００８】
本発明の吸収性物品は、包装状態にある使用前及び使用中において、吸収体の変形に対する表面シートの追従性が良く、また表面シートの潰れが防止されるので、表面シートが吸収体から浮き上がらず、吸収性に優れ、装着感等の使用感が良好であり、通気性に優れたものとなる。
【図面の簡単な説明】
【０００９】
【図１】本発明の吸収性物品の一実施形態である生理用ナプキンをその表面シート側からみた平面図である。
【図２】図１におけるII−II線断面図である。
【図３】図１に示すナプキンに用いられる表面シートの要部を拡大して示す模式図である。
【図４】図３におけるIV−IV線断面図である。
【図５】表面シートの他の断面の状態を示す図（図４相当図）である。
【図６】図３に示す表面シートにおける繊維の融着状態を示す模式図である。
【図７】図１に示すナプキンを下着に固定した状態を示す断面図である。
【図８】本発明の吸収性物品の別の実施形態である生理用ナプキンをその表面シート側からみた平面図（図１相当図）である。
【図９】図３に示す表面シートを製造する装置の一例を示す模式図である。
【図１０】図９における流体透過性支持体を示す斜視図である。
【図１１】図９に示す装置を用いた表面シートの製造過程を示す模式図である。
【発明を実施するための形態】
【００１０】
以下本発明を、その好ましい実施形態に基づき図面を参照しながら説明する。図１には、本発明の吸収性物品の一実施形態である生理用ナプキンをその表面シート側からみた平面図が示されている。図２は、図１におけるII−II線断面図である。
【００１１】
ナプキン１は平面視して縦長の形状のものである。ナプキン１は、肌当接面側に位置する表面シート１０、非肌当接面側に位置する裏面シート１１及び両シート間に介在配置された吸収体１２を備えている。吸収体１２は平面視して縦長の形状をしている。表面シート１０及び裏面シート１１は、吸収体１２の前後端縁及び左右側縁から外方にそれぞれ延出している。吸収体１２の左右側縁から外方に延出した表面シート１０は、吸収体１２の下面側に巻き込まれている。ナプキン１の左右の側部域における表面シート上には、防漏カバーシート１４が、ナプキン１の長手方向に延びるように配されている。各防漏カバーシート１４におけるナプキン１の幅方向内側寄りの側縁部は表面シート１０上に位置しており、かつ表面シート１０から離間している自由縁になっている。図示していないが、この自由縁には、ナプキン１の長手方向に沿って弾性部材が伸長状態で配置されていてもよい。これによって、防漏カバーシート１４の内側寄りの側縁部が表面シート１０から一層離間しやすくなり、該シート１４による防漏効果が一層高まる。
【００１２】
吸収体１２の左右側縁から外方に延出した防漏カバーシート１４は、同じく吸収体１２の左右側縁から外方に延出した裏面シート１１と接合している。上述したウイング部１３は、これら防漏カバーシート１４と裏面シート１１との接合体から構成されている。ナプキン１の幅方向中央域における非肌当接面、すなわち裏面シート１１の表面には、ナプキン１を下着に固定するための粘着部１５ａが、ナプキン１の長手方向に延びるように形成されている。また、ウイング部１３の下着対向面には、ウイング部１３を下着に固定するための粘着部１５ｂが形成されている。
【００１３】
ナプキン１は、着用時に着用者の排泄部に対向配置される排泄部対向領域Ａを有している。更に排泄部対向領域Ａから前後方向に延びる前方領域Ｂ及び後方領域Ｃを有している。前方領域Ｂは、排泄部対向領域Ａよりも着用者の腹側（前方）に配される。後方領域Ｃは、排泄部対向領域Ａよりも着用者の背側（後方）に配される。
【００１４】
本明細書において、「肌当接面」は、ナプキン着用時に着用者の肌側に向けられる面であり、「非肌当接面」は、ナプキン着用時に下着側（着用者の肌側とは反対側）に向けられる面である。また、「長手方向」は、ナプキン又は各種部材の長手方向に沿う方向であり、「幅方向」は、長手方向と直交する方向である。
【００１５】
ナプキン１には、表面シート１０及び吸収体１２を一体的に圧縮してなる側方溝６０が、ナプキン１の長手方向に延びるように、ナプキン１の幅方向の左右の側部域に形成されている。側方溝６０は、前方領域Ｂから後方領域Ｃまでにわたり延在している。また、ナプキン１には、表面シート１０及び吸収体１２を一体的に圧縮してなる前方溝７１及び後方溝７２が、ナプキン１の幅方向に延びるように、排泄部対向領域Ａの前後の領域、すなわち前方領域Ｂ及び後方領域Ｃにそれぞれ形成されている。側方溝６０並びに前方溝７１及び後方溝７２は、表面シート１０及び吸収体１２を、熱を伴うか又は伴わずに肌当接面側から圧縮することによって形成されている。
【００１６】
側方溝６０は、連続した一条の溝になっている。同様に、前方溝７１及び後方溝７２も、連続した一条の溝になっている。しかし、これらの溝は連続して形成されていることを要せず、全体として連続しているとみなせる程度に不連続な圧縮部位の集合体から構成されていてもよい。例えば、円形、四角形、ハート形、ダイヤ形などの形状を有する不連続な圧縮部位の集合体によって、全体として連続とみなせる溝が形成されていてもよい。
【００１７】
前方領域Ｂにおける各側方溝６０の端部と、前方溝７１の左右の端部とは連結している。同様に、後方領域Ｃにおける各側方溝６０の端部と、後方溝７２の左右の端部とは連結している。それによって、これらの溝は全体として閉じた形状をなしている。
【００１８】
側方溝６０は、吸収体１２の側縁からやや内側に位置している。側方溝６０は、排泄部対向領域Ａにおいて、ナプキン１の長手方向に延びる直線部分（直線溝）６０Ａを有する。同様に、側方溝６０は、前方領域Ｂ及び後方領域Ｃにおいても、ナプキン１の長手方向に延びる直線部分６０Ｂ，６０Ｃを有する。直線部分６０Ｂ，６０Ｃは、直線部分６０Ａの延長線上に位置している。したがって一対の直線部分６０Ａ間の距離と、一対の直線部分６０Ｂ間の距離と、一対の直線部分６０Ｃ間の距離は同じになっている。
【００１９】
排泄部対向領域Ａと前方領域Ｂとの境界域において、側方溝６０は、直線部分６０Ａの前端部に連結するとともに幅方向の中央方向であってかつ長手方向の前端部方向へ向かう斜行部分（斜行溝）６０Ｄを有している。同様に、排泄部対向領域Ａと後方領域Ｃとの境界域において、側方溝６０は、直線部分６０Ａの後端部に連結するとともに幅方向の中央方向であってかつ長手方向の後端部方向へ向かう斜行部分（斜行溝）６０Ｅを有している。
【００２０】
さらに、排泄部対向領域Ａと前方領域Ｂとの境界域において、側方溝６０は、直線部分６０Ｂの後端部に連結するとともに幅方向の中央方向であってかつ長手方向の中央方向へ向かう斜行部分（斜行溝）６０Ｆを有している。同様に、排泄部対向領域Ａと後方領域Ｃとの境界域においては、側方溝６０は、直線部分６０Ｃの前端部に連結するとともに幅方向の中央方向であってかつ長手方向の中央方向へ向かう斜行部分（斜行溝）６０Ｇを有している。
【００２１】
排泄部対向領域Ａと前方領域Ｂとの境界域において、斜行部分６０Ｄ，６０Ｆは互いに交わって、全体として幅方向内方へ向けてくびれたく字状をなしている。同様に、排泄部対向領域Ａと後方領域Ｃとの境界域において、斜行部分６０Ｅ，６０Ｇは互いに交わって、全体として幅方向内方へ向けてくびれたく字状をなしている。このく字状のくびれた部分によって、排泄部の前後の位置で急激に湾曲する身体形状に適合してナプキン１が変形するための幅方向可撓軸を、ナプキン１に形成する効果が奏される。この効果によってナプキン１が着用者の身体にフィットしやすくなる。また、く字状のくびれた部分によって、ナプキン１の前後方向へ液が過度に拡散することが抑制される効果も奏される。
【００２２】
後述するように、表面シート１０が畝溝構造を有するものである場合には、上述のく字状にくびれた部分が存在することによって、畝部が潰れにくくなり、また倒れにくくなって、該畝部を起立させておきやすいという利点もある。この利点は、く字状にくびれた部分が、ナプキン１の長手方向における非常に小さな領域に形成されている場合に、一層顕著なものとなる。また、畝溝構造を有する表面シート１０の実質厚みが見掛け厚みの６０〜７０％である場合にも、一層顕著なものとなる。
【００２３】
図３には、表面シート１０の要部拡大図が示されている。図４は、図３におけるIV−IV線断面図である。図３及び図４に示す表面シート１０は、第１の面１０ａと、これに対向する第２の面１０ｂとを有する。第１の面１０ａは、着用者の肌側を向く面である。第２の面１０ｂは、吸収体側を向く面である。表面シート１０は、それぞれナプキン１の長手方向Ｙに延びる畝部２０及び溝部３０を有する。畝部２０及び溝部３０は、それらの延びる方向Ｙと直交する方向Ｘ（すなわちナプキン１の幅方向）にわたって交互に配列されている。畝部２０は、表面シート１０における相対的に厚みの大きな部位から構成されており、溝部３０は、表面シート１０における相対的に厚みの小さな部位から構成されている。その結果、畝部２０の実質厚みは、溝部３０の厚みよりも大きい。ここで実質厚みとは、表面シート１０の裏面から各々の最上部までの長さではなく、表面シート１０の繊維が存在する部分の長さを意味する。
【００２４】
図４に示すように、畝部２０は、その延びる方向と直交する方向（図中、Ｘで示す方向）での断面において、第１の面１０ａの側は、上に凸の滑らかな曲線を描く輪郭となっている。第２の面１０ｂの側は、下に凸の滑らかでかつ緩やかな曲線を描く輪郭となっている。畝部２０における第１の面１０ａの側は、第２の面１０ｂの側よりも高く盛り上がっており、これが周期的に連続している。これによって第１の面１０ａの側は、Ｘ方向に沿って波形形状になっている。したがって、表面シート１０の第１の面１０ａ側が着用者の肌と接する場合には、畝部２０の頂部及びその近傍の領域が部分的に接触することになり、全面接触に起因する蒸れによるべたつき感や、こすれに起因する刺激感が低減される。また、着用者から排泄された液が、着用者の肌に付着しづらくなる。
【００２５】
畝部２０の形状は上述の形状に限られず、例えば図５（ａ）に示すように、第２の面１０ｂの側が、上に凸の滑らかでかつ緩やかな曲線を描く輪郭となっている場合や、図５（ｂ）に示すように、第２の面１０ｂの側が平坦である場合もある。このような形状の相違は、主として表面シート１０の製造条件に依存する。
【００２６】
畝部２０は、表面シート１０の構成繊維で満たされている。つまり畝部２０内には空洞は存在していない。同様に、溝部３０のうち、後述する開孔３１が形成されていない部位は、表面シート１０の構成繊維で満たされている。但し、後述するように、畝部２０の繊維量と、溝部３０の繊維量とは相違している。
【００２７】
図４に示すように、畝部２０は、Ｘ方向での断面において、第１の面１０ａ側に頂部２１を有し、この部位において実質厚みが最も大きくなっている。そして、Ｘ方向に関し、頂部２１から離れるに連れ実質厚みが漸減している。したがって、表面シート１０は、そのＸ方向に沿ってみたときに、実質厚みが周期的に変化したものとなっている。図には示していないが、畝部２０は、その延びる方向（図４中、紙面と直交する方向）において、頂部２１における実質厚みは何れの位置においてもほぼ同じになっている。本実施形態の表面シート１０において、畝部２０と溝部３０との間に明確な境界部は存在せず、一般に、Ｘ方向に関して隣り合う２つの頂部２１間に位置する最も実質厚みの小さい部位及びその近傍の部位が溝部３０となる。畝部２０と溝部３０との境界を明確に定義する場合には、畝部２０の頂部２１における見掛け厚みの１／２の厚みの位置を、畝部２０と溝部３０との境界部とする。
【００２８】
畝部２０の見掛け厚みは、表面シート１０の肌触りを良好にする観点から、好ましくは０．３〜５ｍｍであり、更に好ましくは０．５〜２．５ｍｍである。畝部２０と溝部３０との高低差Ｄ（図４参照）は、表面シート１０のクッション性及び通気性を高め、更に液の拡散を制御する観点から、０．１〜３ｍｍが好ましく、０．３〜２ｍｍがより好ましい。畝部２０及び溝部３０の厚みや高低差Ｄは、マイクロスコープＶＨ‐８０００（キーエンス製）を用い、表面シート１０の断面を５０倍〜２００倍に拡大観察して測定する。断面は、フェザー剃刀（品番ＦＡＳ‐１０、フェザー安全剃刀（株）製）を用い、表面シート１０を切断して得る。
【００２９】
表面シート１０のＸ方向における畝部２０の幅は、肌触りと吸収性の観点から、１〜１０ｍｍが好ましく、２〜５ｍｍがより好ましい。同様の観点から、表面シート１０のＸ方向における溝部３０の幅は、０．５〜７ｍｍが好ましく、１〜３ｍｍが好ましい。本実施形態においては、畝部２０と溝部３０は同じ幅で形成されているが、これに限られず例えば表面シート１０のＸ方向の中央域における畝部２０の幅を、側部域における畝部２０の幅よりも広くしてもよい。あるいは、畝部２０及び溝部３０の幅をランダムにするなど、所望の形態とすることができる。
【００３０】
畝部２０の実質厚みは、見掛け厚みの６０〜１００％、特に７０〜１００％であることが好ましい。畝部２０の実質厚みそれ自体は、最も大きい部位（頂部２１）において０．２〜４ｍｍ、特に０．３〜３ｍｍであることが好ましい。畝部２０がこのような厚みであると、畝部２０が倒れにくくなり、表面シート１０のクッション性が良くなり、更に液の吸収性（液通過性）が良好となる。また、畝部２０の実質厚みが、見掛け厚みより薄い場合、具体的には９０％以下の場合には、表面シート１０を有する吸収性物品の使用時に、該吸収性物品が湾曲形状に変形しても、表面シート１０と吸収体との間に生じる隙間が大きくなることが防止される。また表面シート１０が着用者の肌に柔軟にフィットする。なお、溝部３０の実質厚みは、０．１〜１ｍｍである。
【００３１】
畝部２０と溝部３０では、実質的な坪量が異なっている。換言すれば、畝部２０と溝部３０では繊維量が異なっている。具体的には、溝部３０に比べて畝部２０の方が、繊維量が実質的に多くなっている。畝部２０及び溝部３０がこのように形成されていることで、畝部２０を潰れにくくしつつ、柔軟に変形させることが可能となっている。畝部２０及び溝部３０の繊維量を坪量で表すと、畝部２０の坪量は、３０〜１５０ｇ／ｍ2、特に４０
〜１００ｇ／ｍ2であることが好ましい。一方、溝部３０の坪量（但し開孔は除く）は、
１０〜７０ｇ／ｍ2、特に１５〜５０ｇ／ｍ2であることが好ましい。表面シート１０の全体としての坪量は、２０〜８０ｇ／ｍ2、特に３０〜８０ｇ／ｍ2であることが好ましい。畝部２０の坪量は、表面シート全体の重量を計測した後、溝部３０を除去した畝部２０の重量と面積から求める。畝部２０と溝部３０との境界の判断は、開孔３１の幅と溝部３０の幅が同程度のときは、開孔３１の幅方向端部を複数連ねて見たときの位置とする。溝部３０の幅が開孔３１の幅より広い場合は、見掛け厚みの測定の場合と同様に、測定する表面シート１０の断面形状に基づき、変曲点を基準点（優先）とするか、４５°の傾き位置を基準点とする。この上下２点の基準点を結ぶ直線で表面シート１０を切断し、畝部２０を得てその重量を測定する。溝部３０の重量は、切断前の表面シート１０の重量と、畝部２０の重量との差を求め、開孔３１に相当する面積を更に差し引いて求める。溝部３０の坪量の算出には、開孔３１を含めた溝部３０の面積と開孔３１の面積が必要となるため、後述する画像解析装置等を使用して計測しておく。
【００３２】
また、畝部２０は、その頂部２１における繊維密度が、溝部３０の繊維密度、特に開孔３１の端部の繊維密度と異なっている。詳細には、畝部２０の頂部２１に比較すると、溝部３０、特に開孔３１の端部の方が、繊維密度が高くなされている。その結果、着用者から液は、畝部２０の頂部２１から溝部３０の開孔３１の端部へと導かれ易くなっている。繊維密度そのものの値で比較すると、畝部２０の頂部２１における繊維密度は０．０１〜０．１ｇ／ｃｍ3であることが好ましい。開孔３１の端部の繊維密度は０．０５〜０．５
ｇ／ｃｍ3であることが好ましい。繊維密度は、次の方法で測定する。先ず、畝部２０の
密度を見掛け厚み及び坪量から算出する。次に表面シート１０の切断面を、電子顕微鏡を用いて拡大観察（１５０〜５００倍）し、繊維の断面１０個が含まれる部分の面積（最外繊維の外面を直線で結んだ面積）を、後述する画像解析装置を使用して、畝部２０及び開孔３１の端部で計測する。その面積の比較から開孔３１の端部の繊維密度を算出する。繊維の占める面積が低いほど繊維密度は高いことになる。
【００３３】
図３に示すように、溝部３０には開孔３１が多数形成されている。開孔３１は溝部３０の延びる方向に沿って一定の間隔をおいて規則的に形成されている。したがって、表面シート１０には、そのＹ方向に沿って一定の間隔をおいて配置された多数の開孔３１からなる開孔列が、表面シート１０のＸ方向にわたって多列に形成された状態になっている。すべての開孔列における開孔３１の配置のピッチは同じになっている。隣り合う２つの開孔列においては、表面シート１０のＸ方向に関して開孔３１が同位置に位置している。そして、シート１０のＸ方向に沿ってシート全域を見たときに、必ず開孔３１が形成されていない部位が存在するように該開孔３１は配置されている。更に、表面シート１０全体で見ると、開孔３１は、シート１０のＸ方向において多列の列をなし、かつＹ方向においても多列の列をなすように分散配置されている。開孔３１がこのように配置されていることで、開孔３１が例えば千鳥格子状に配置されている場合に比較して、繊維のより分けによる開孔３１の形成を効率的に行うことができる。
【００３４】
開孔３１は、表面シート１０の構成繊維がより分けられて形成されている。そして、開孔３１の端部付近においては、繊維の熱変形に起因する膜状構造が形成されていないか、又は繊維の潰れなどの変形が生じていない。これに起因して、開孔３１の端部付近は、剛性が低く、変形に対する柔軟性及び形状復元性に優れている。また、液が通過する構造になっているので、開孔３１の端部付近に液が溜まることがない。なお、表面シート全体として見ると、その構成繊維は、基本的に繊維どうしが交絡しているか、又は繊維どうしが融着している。これによって不織布の形態が維持されている。
【００３５】
開孔３１は、表面シート１０の平面視において種々の形状をとり得る。例えば円形、長円形、楕円形、三角形、四角形、六角形等の形状、又はこれらの組み合わせの形状が挙げられる。開孔３１の形状や大きさは、表面シート１０の具体的な用途に応じて適宜決定すればよい。開孔３１の大きさは、表面シート１０の平面視における投影面積で表して、０．５〜５ｍｍ2程度であることが、液の透過性及び表面シート１０の強度維持の観点から好ましい。開孔３１の大きさは、画像解析システムを使用して計測する。具体的には、光源〔サンライト ＳＬ−２３０Ｋ２；ＬＰＬ（株）社製〕、スタンド〔コピースタンドＣＳ−５；ＬＰＬ（株）社製〕、レンズ〔２４ｍｍ／Ｆ２．８Ｄニッコールレンズ〕、ＣＣＤカメラ〔（ＨＶ−３７；日立電子（株）社製）Ｆマウントによるレンズとの接続〕及びビデオボード〔スペクトラ３２００；カノープス（株）社製〕を用いて、表面シート１０の裏面１Ｂ側の画像を取り込む。取り込まれた画像をＮＥＸＵＳ社製の画像解析ソフトＮＥＷ  ＱＵＢＥ（ｖｅｒ．４．２０）によって開孔３１の部分を二値化処理する。二値化処理された画像から得られる個々の面積の平均値を開孔の大きさとする。
【００３６】
開孔３１はその端部が、表面シート１０の第２の面１０ｂ側に突出して、突出部からなる導液管を形成していてもよい。上述のとおり、開孔３１の端部は剛性が低いので、かかる突出部を形成することで、表面シート１０のクッション性が一層高くなる。また、突出部を形成することで、表面シート１０の下側に位置する吸収体の構造によらず、表面シート１０と吸収体との接触を維持できることから、着用者から排泄された液が、表面シート１０から吸収体へ効率よく伝達される。
【００３７】
表面シート１０を構成する繊維は、上述のとおり、繊維どうしが交絡しているか、又は繊維どうしが融着している。繊維どうしが融着している場合、当該繊維は、図６に示すように、離間しており、かつ溶融によって引き伸ばされた樹脂の固化で形成された橋渡し構造Ｂによって結合されていることが好ましい。このような結合状態であることによって、表面シート１０の柔軟性が一層向上する。橋渡し構造の結合状態を実現するには、例えば後述する方法に従い表面シート１０を製造すればよい。
【００３８】
上述の橋渡し構造の連結状態を有する表面シート１０においては、繊維どうしが熱融着されており、該繊維どうしの橋渡し構造の融着部分における繊維の中心間距離が、各々の繊維の中心から繊維の外面までの距離を加算した値よりも大きくなっている。この場合、構成繊維として自己融着性繊維を５０重量％以上含むことが、確実な橋渡し構造の連結状態を実現する観点から好ましい。このような特徴的な構造を有する表面シート１０は、本発明者らが初めて見出した極めて新規なものである。この状態は、電子顕微鏡等の観察から計測できる。繊維の中心から外面までの距離は、接合している繊維から計測することが望ましいが、複数種の繊維が配合されている場合でも、各々の繊維１０〜２０本程度の繊維から平均繊維径より求めても良い。
【００３９】
橋渡し構造は、表面シート１０の電子顕微鏡による拡大観察において、ランダムに５０〜１００程度の交点を計測した場合、５〜２０％存在することが、柔軟性とクッション性、及び表面シート１０の強度の観点から好ましい。
【００４０】
上述の構造を有する表面シート１０を備えたナプキン１においては、側方溝６０並びに前方溝７１及び後方溝７２によって表面シート１０が吸収体１２と一体化されているので、ナプキン１の着用中に表面シート１０と吸収体１２とが離間することが防止されている。また、側方溝６０のうち、少なくとも排泄部対向領域Ａに位置する直線部分６０Ａは、表面シート１０の畝部２０と略平行な位置関係になっており、かつ畝部２０の幅と直線部分６０Ａの幅とが略等しくなっている。これによって、畝部２０の３本以上にわたって直線部分６０Ａがまたがることがなくなり、表面シート１０の畝溝構造の特徴が損なわれにくくなる。また、畝部２０及び凸部３０は、表面シート１０の位置ずれや圧力による変形を受けても元の形状に戻り易く、柔軟性があるので肌触りがよい。これらの利点は、直線部分６０Ａが、溝部３０の１本と略重なる位置に形成されていることによって一層顕著なものとなる。また、直線部分６０Ａが、溝部３０の１本と略重なる位置に形成されていることによって、直線部分６０Ａ内に形成されている高圧搾部８１及び低圧搾部８２（これら高圧搾部８１及び低圧搾部８２は、硬く形成されている）が、着用者の肌に直接接触することが防止されるという利点も生じる。
【００４１】
表面シート１０の畝部２０と、側方溝６０との関係は、前方領域Ｂ及び後方領域Ｃにおいても、排泄部対向領域Ａと同様である。すなわち、前方領域Ｂ及び後方領域Ｃに位置する直線部分６０Ｂ，６０Ｃは、表面シート１０の畝部２０と略平行な位置関係になっており、かつ畝部２０の幅と直線部分６０Ｂ，６０Ｃの幅とが略等しくなっている。更に、直線部分６０Ｂ，６０Ｃが、畝部２０の１本と略重なる位置に形成されている。これによって、表面シート１０の畝溝構造の特徴が一層損なわれにくくなる。
【００４２】
表面シート１０の畝部２０の幅にもよるが、側方溝６０の幅は、直線部分６０Ａ，６０Ｂ，６０Ｃの何れの部位においても２〜７ｍｍが好ましい。この幅は、上述のとおり、畝部２０の幅と略等しいことが好ましく、あるいはそれよりも狭いことが好ましい。これによって、側方溝６０を形成することに起因して畝部２０を潰すことの影響を極力少なくすることができる。また、表面シート１０の溝部３０に側方溝６０の中心部が配置されていることは、側方溝６０の形成時に畝部２０が潰されにくくなる点から好ましい。また、このような配置によって、側方溝６０による液防漏性が高まり、更に肌触りも良好になる。
【００４３】
図１に示すように、側方溝６０内並びに前方溝７１及び後方溝７２内には、これらの溝の延びる方向に沿って、高圧搾部８１及び低圧搾部８２が交互に形成されている。高圧搾部８１は、表面シート１０及び吸収体１２が強く圧縮されて形成された部位である。低圧搾部８２は、高圧搾部８１よりも相対的に弱く圧縮されて形成された部位である。高圧搾部８１におけるナプキン１の厚みは、低圧搾部８２におけるナプキン１の厚みよりも小さくなっている。これらの圧搾部は、当該技術分野において公知のエンボス装置を用いて形成することができる。同図に示すように、側方溝６０のうち、排泄部対向領域Ａに位置する直線部分６０Ａにおいては、高圧搾部８１及び低圧搾部８２の底面形状が、該直線部分６０Ａの延びる方向に対して傾斜する方向に長手方向を有するように延びる形状となっている。同様に、側方溝６０のうち、前方領域Ｂ及び後方領域Ｃに位置する直線部分６０Ｂ，６０Ｃにおいても、高圧搾部８１及び低圧搾部８２の底面形状が、該直線部分６０Ｂ，６０Ｃの延びる方向に対して傾斜する方向に長手方向を有するように延びる形状となっている。これにより側方溝６０の直線部分６０Ａが形成されているナプキン１の中央部に排泄された体液が長手方向へ適度に拡散しやすくなり、横方向からの液漏れが防止され、また吸収体を有効に活用できるという効果が奏される。すなわち、側方溝６０の各直線部分６０Ａ〜Ｃに高圧搾部８１と低圧搾部８２が形成されていることによって、側方溝６０の周辺は長手方向に密度が高められている。これに起因して、側方溝６０に沿って液が拡散し易くされている。さらに、側方溝６０は高圧搾部８１と低圧搾部８２を有するので、側方溝６０内の長手方向への過度の液の拡散が抑制され、それによって前述した側方溝６０の周辺の液の拡散が過度になることがない。また、前述したく字状のくびれた部分による効果が重畳される。
【００４４】
さらに、表面シート１０においては、側方溝６０の高圧搾部８１及び低圧搾部８２が傾斜して配置されていると、傾斜することなく配置されている表面シートと比べ、側方溝による液の拡散制御効果が発現しやすい。なぜならば、畝部２０の実質厚みが溝部３０よりも大きい構造を有する本実施形態に使用される表面シート１０では、繊維が畝部２０に多く存在するので、表面シート１０の畝溝構造と同じ方向に延びる側方溝６０は、畝部２０を圧搾固定しにくく、低圧搾部８２も形成されにくい。その点、側方溝６０と傾斜して（すなわち表面シート１０の畝溝構造と傾斜して）高圧搾部８１が形成されることによって、液の拡散効果を良好にする構造の側方溝６０が形成されやすい。側方溝６０の高圧搾部８２の一部が隣接する高圧搾部８２と重なる部分を有すると、一層安定した低圧搾部８２を形成できるので一層好ましい。
【００４５】
これに対して、前方溝７１及び後方溝７２では、高圧搾部８１及び低圧搾部８２が、表面シート１０の畝部２０及び溝部３０と同方向に延びるように形成されている。このように形成されることで、高圧搾部８１によって部分的に表面シート１０の畝部２０が圧縮され、吸収体へ液を導きやすい構造を形成することができる。その結果、前後方向に拡散してきた液、あるいは表面シート上を流れてきた液が吸収される。一方、表面シート１０の畝溝構造と高圧搾部８１及び低圧搾部８２とが同じ方向に形成されていることから、前方溝７１及び後方溝７２の表面シート１０は柔軟性を喪失しにくく、良好な肌触りやクッション感を有している。また、可撓性も良好となり、肌あたりやフィット性が良い溝の形成が可能となる。
【００４６】
これら側方溝６０や前方溝７１及び後方溝７２における高圧搾部に、ハート形、ダイヤ形などの形状を使用できることは前述したとおりであるが、このような図形において傾斜するとは、対称線がある場合には最も長い対象線、不定形等で対称線がない場合には、重心を通る最も長い分断線が傾斜することで、同様の効果が奏される。
【００４７】
側方溝６０における直線部分６０Ａと異なり、斜行部分６０Ｄ，６０Ｅ，６０Ｆ，６０Ｇにおいては、高圧搾部８１及び低圧搾部８２が、物品の幅方向に延びるように形成されている。これによって、ナプキン１の装着に際して、身体形状に適合してナプキン１が変形するための幅方向可撓軸が一層円滑に形成され、ナプキン１が着用者の身体に一層フィットしやすくなる。さらに、表面シートに用いる繊維として、後述する熱捲縮性繊維を用いた場合、幅方向可橈軸として機能する高圧搾部及び低圧搾部にさらに伸縮性が付与されるので、ナプキン全体が非常に柔軟に変形する。その結果、ナプキン１が身体に極めてフィットしやすくなる。
【００４８】
側方溝６０並びに前方溝７１及び側方溝７２における高圧搾部８１に関しては、前方溝及び後方溝内に形成された高圧搾部の高さが、側方溝内に形成された高圧搾部の高さよりも高くなっていることが好ましい。これにより、側方溝での幅方向への体液の拡散に起因する漏れを極力防ぎながら、前方溝及び後方溝による表面シートの畝溝構造の変形が最小限に抑えられ、肌触りやクッション性が良好となり、かつ良好な可撓性によるフィット性の向上が得られるという有利な効果が奏される。
【００４９】
また、本実施形態の生理用ナプキンにおいては、側方溝の排泄部対向領域の前後における内方へ向かう斜向部分が、幅方向に跨る幅方向条溝を形成していても良い（図示せず）。幅方向条溝は、排泄領域の前後端にあたる前記斜向部分に形成されるため、漏れ防止性の高い高圧搾部と低圧搾部が形成された側方条溝と同様に形成されるか、吸収体への液移行性を高めるドット状（独立した）圧搾部によって条溝状に形成されることが好ましい。さらに、排泄領域の形状安定効果（隆起による変形の制御、前後方向になだらかな隆起の形成）を発揮しやすいようにするために、幅方向条溝は、排泄部対向領域よりも外方に（前後方向に）突出する湾曲形状であることが好ましい。幅方向条溝は、側方溝に連結していてもよく、あるいは側方溝と分離していても良い。幅方向条溝が高圧搾部及び低圧搾部を有する場合、該高圧搾部及び低圧搾部は、長手方向と平行に形成されていても良く、幅方向に平行に形成されていても良い。また、傾斜して形成されていても良い。高圧搾部及び低圧搾部が、長手方向と平行に形成されている場合には、表面シートの畝溝構造を潰すことなく該条溝の形成が可能であり、良好なフィット性や手触り感が発現する。高圧搾部及び低圧搾部が、幅方向と平行に形成されている場合には、可撓軸を形成する効果が発現される。高圧搾部及び低圧搾部が、傾斜して形成されている場合には、効果的に畝溝構造を潰すことにより防漏性を高めることができる。
【００５０】
図７には、本実施形態のナプキン１を下着（ショーツ）に装着してウイング部１３を下着の股下部に固定した状態が示されている。なお、同図にはショーツは示されていない。ウイング部１３の下着対向面に形成された粘着部１５ｂは、ナプキン１の固定状態において、該粘着部１５ｂが、側方溝６０を幅方向にまたぐ位置に形成されている。このような位置に粘着部１５ｂが形成されていることによって、ナプキン１の装着中に、着用者の動作に起因してナプキン１の幅方向外方から内方へ向けて力が加わった場合に、ナプキン１が着用者の身体へ向けて過度に変形して隆起することが防止される。詳細には、側方溝６０は直線部分を多数有するので、ナプキン１の幅方向外方から内方へ向けて力が加わると、該側方溝６０がナプキン１の長手方向に延びる可撓軸となりやすくなる。その結果、ナプキン１が着用者の身体へ向けて変形しやすくなり、フィット性が損なわれることがある。このような状況下において、ウイング部１３の粘着部１５ｂが、側方溝６０を幅方向にまたぐように下着に取り付けられていると、該粘着部１５が、ナプキン１の変形に対する抵抗となり、過度の変形が抑制される。その結果、ナプキン１のフィット性の低下が防止される。
【００５１】
図８には、本発明の別の実施形態のナプキン１が示されている。本実施形態に関し特に説明しない点については、先の実施形態に関する説明が適宜適用される。本実施形態が先に説明した実施形態と大きく異なる点は、側方溝６０の形状である。本実施形態のナプキン１における側方溝６０は、排泄部対向領域Ａにおいて、ナプキン１の長手方向に延びる直線部分６０Ａを有する。同様に、側方溝６０は、前方領域Ｂ及び後方領域Ｃにおいても、ナプキン１の長手方向に延びる直線部分６０Ｂ，６０Ｃを有する。直線部分６０Ｂ，６０Ｃは、直線部分６０Ａの延長線よりも、ナプキン１の幅方向内方に位置している。したがって一対の直線部分６０Ｂ間の距離は、一対の直線部分６０Ａ間の距離よりも小さくなっている。同様に、一対の直線部分６０Ｃ間の距離は、一対の直線部分６０Ａ間の距離よりも小さくなっている。また、一対の直線部分６０Ｂ間の距離は、一対の直線部分６０Ｃ間の距離と同じになっている。
【００５２】
排泄部対向領域Ａと前方領域Ｂとの境界域において、側方溝６０は、直線部分６０Ａの前端部に連結するとともに幅方向の中央方向であってかつ長手方向の前端部方向へ向かう斜行部分６０Ｄを有している。斜行部分６０Ｄの前端部は、前方領域Ｂに位置する直線部分６０Ｂの後端部と連結している。同様に、排泄部対向領域Ａと後方領域Ｃとの境界域において、側方溝６０は、直線部分６０Ａの後端部に連結するとともに幅方向の中央方向であってかつ長手方向の前端部方向へ向かう斜行部分６０Ｅを有している。斜行部分６０Ｅの後端部は、後方領域Ｃに位置する直線部分６０Ｃの前端部と連結している。
【００５３】
前方溝７１及び後方溝７２は、円形の不連続な圧縮部位７３の集合体から構成されている。圧縮部位７３は、全体として連続とみなせる程度に近接して配置されている。前方溝７１は、その左右の端部が、側方溝６０の直線部分６０Ｂの前端部と連結している。一方、後方溝７２は、その左右の端部が、側方溝６０の直線部分６０Ｃの後端部と連結している。
【００５４】
本実施形態においては、表面シート１０の左右の側部域、特に表面シート１０が、防漏カバーシート１４によって覆われている領域に、畝部及び溝部が形成されておらず、その領域が平坦になっている。これによって、表面シート１０と防漏カバーシート１４との接合を容易に行うことができる。
【００５５】
次に、前記の各実施形態のナプキン１に共通の事項について説明する。吸収体１２は、好適には木材フラッフパルプと超吸収性ヒドロゲル粒子との混合物からなる。この混合物はその全体がティッシュペーパによって被覆され、所要の厚みに圧縮されていてもよい。また、この構成の吸収体の中央部に、パルプ又はパルプとヒドロゲル粒子との混合物を更に重ね、中高部を形成しても良い。この場合、中高部は側方溝６０並びに前方溝７１及び後方溝７２を越えない位置に形成されることが好ましい。
【００５６】
裏面シート１１としては、液不透過性ないし撥水性の材料、例えば熱可塑性樹脂製のフィルムや、これに不織布をラミネートしたものを用いることができる。またスパンボンド−メルトブローン−スパンボンド（ＳＭＳ）不織布や、スパンボンド−メルトブローン−メルトブローン−スパンボンド（ＳＭＭＳ）不織布を用いることもできる。裏面シート１１は透湿性を有していてもよい。透湿性を有する裏面シートとしては、熱可塑性樹脂及びそれと相溶性のない微粒子を含む樹脂組成物をフィルム状に押し出し、一軸又は二軸延伸して得られる多孔性フィルムや、上述のＳＭＳ不織布が挙げられる。
【００５７】
表面シート１０を構成する繊維としては、天然繊維、半天然繊維、合成繊維等、当該技術分野において従来用いられている繊維を特に制限なく用いることができる。繊維間の詰まりすぎを起こさず、表面シート１０に柔軟性を付与する観点から、合成繊維を用いることが好ましい。合成繊維の配合量は、表面シート全体の５０重量％以上が好ましく、７０％重量以上がより好ましい。もちろん、合成繊維１００％から表面シート１０を構成してもよい。表面シート１０が合成繊維１００％からなる場合、着用者の体圧が加わった状態下でも畝溝構造が潰れ難くなるので、溝部３０に沿った通気性が良好となる。
【００５８】
使用する合成繊維としては、例えば自己融着性繊維である芯鞘構造繊維やサイドバイサイド型繊維が挙げられる。この他に、ポリエチレン、ポリプロピレン、ポリエステル等の単繊維や複合繊維を用いることができる。畝溝構造及び開孔形状の成形性や、橋渡しの結合形の成による柔軟性の向上の観点から、ポリエチレンを鞘成分に有する芯鞘構造繊維や、ポリエチレン部分を有するサイドバイサイド型繊維を用いることが好ましい。繊維の繊度は、１〜６ｄｔｅｘの範囲が好ましい。
【００５９】
合成繊維として捲縮繊維を用いると、表面シート１０のクッション性が一層向上するので好ましい。捲縮繊維としては、二次元に捲縮した繊維及びコイル状の三次元に捲縮した繊維の何れも用いることができる。特に熱の付与によってコイル状に三次元捲縮した繊維を表面シート１０に含まれていることが好ましい。このような繊維は、潜在捲縮繊維を原料として用いることで、表面シート１０に含ませることができる。潜在捲縮繊維は、例えば収縮率の異なる２種類の熱可塑性樹脂を成分とする偏心芯鞘型複合繊維又はサイドバイサイド型複合繊維からなる。その例としては、特開平９−２９６３２５号公報や特許２７５９３３１号明細書に記載のものが挙げられる。
【００６０】
合成繊維として、熱の付与によって伸長する繊維を用いても表面シート１０のクッション性が一層高まるので好ましい。この理由は、表面シート１０の製造中に付与された熱に起因する繊維間の詰まりが防止されるからである。そのような繊維としては、例えば本出願人の先の出願に係るＷＯ２００７／６６５９９が挙げられる。
【００６１】
上述の捲縮繊維及び熱伸長性繊維の何れを用いる場合にも、それらの繊維は、表面シート１０中に合計で３０〜７０重量％配合されていることが好ましい。
【００６２】
表面シート１０の構成繊維は、その繊維長に特に制限はなく、ステープルファイバ及び連続フィラメントの何れも用いることができる。２種以上の繊維を用いる場合、それらの繊維の繊維長は同じでもよく、又は異なっていてもよい。異なる繊維長の繊維を２種以上組み合わせて用いる場合、これらの繊維を表面シート１０中に偏在させることが好ましい。具体的には、畝部２０における第１の面１０ａ側は、開孔３１の端部に比べて繊維長が長い繊維を多く有していることが好ましい。これによって、表面シート１０の表面における短繊維の毛羽抜け易さや毛羽たち易さを抑えて、滑らかな感触を得ることができる。また、畝溝構造や開孔３１の明瞭性を向上させることができる。さらに、開孔３１に液を導き易くすることができる。例えば、異なる繊維長の繊維を２種類用いる場合、長い方の繊維の繊維長は４０〜８０ｍｍであることが好ましく、短い方の繊維の繊維長は１０〜２０ｍｍであることが好ましい。異なる繊維長の繊維を上述のように偏在させるためには、例えば長い繊維を含む層と短い繊維を含む層とからなる多層構造のウエブを用いて表面シート１０を製造したり、長い繊維を含むウエブと短い繊維を含む不織布とを組み合わせて表面シート１０を製造したりすればよい。
【００６３】
異なる繊維長の繊維を２種以上組み合わせて用いる場合、表面シート１０は、繊維長が長い繊維と短い繊維が部分的に交絡している部分を有することが好ましい。これによって、交絡部分に起因する強度向上と、表面シートとして畝部２０からの液の移動を容易にできるという有利な効果が奏される。繊維長が長い繊維と短い繊維が部分的に交絡している部分は、表面シート１０における溝部３０や開孔３１の周縁の部分であることが好ましい。このような部分的な交絡部を形成するには、例えば、長い繊維を含む層と短い繊維を含む層とからなる多層構造のウエブを用いて表面シート１０を製造したり、長い繊維を含むウエブと短い繊維を含む不織布とを組み合わせて表面シート１０を製造したりすればよい。
【００６４】
表面シート１０は親水化されていることが好ましい。親水化の方法としては、例えば疎水性不織布を親水化剤で処理する方法が挙げられる。また、親水化剤を練り込んだ繊維から不織布を製造する方法が挙げられる。更に、本来的に親水性を有する繊維、例えば天然系や半天然系の繊維を使用する方法が挙げられる。不織布の製造後に、界面活性剤を塗工することでも親水化を行うことができる。
【００６５】
表面シート１０の親水性に関し、畝部２０の頂部２１においては、第１の面１０ａ側の親水性が弱親水性から疎水性であることが好ましい。一方、開孔３１の端部付近における第１の面１０ａ側の表面の親水性が少なくとも弱親水性であることが好ましい。そして、これら両者に関して、開孔３１の端部付近の方が、畝部２０の頂部２１よりも親水性が高くなっていることが好ましい。親水性の程度にこのような差を設けることで、第１の面１０ａ側から第２の面１０ｂ側への液の引き込み性が促進され、第１の面１０ａ側に液残りが生じにくくなり、第１の面１０ａ側のドライ感が高まる。親水性の程度にこのような差を設けるためには、例えば繊維表面を親水性となす界面活性剤のうち、水への溶解性が高いものを用いて、高温（４０〜８０℃）多湿（８０％ＲＨ程度）の条件で表面シート１０を処理すればよい。また、表面シート１０の各部位における親水性の程度は、既知の表面張力が異なる試験液を使用して液滴法で評価する。
【００６６】
図３及び図４に示す表面シート１０は、単層の構造のものであったが、これに代えて表面シート１０を２層以上の多層構造とすることもできる。表面シート１０が、例えば第１の面１０ａを含む上層及び第２の面１０ｂを含む下層からなる２層構造のものである場合、上層に比べ下層の毛管勾配を高めることが好ましい。これによって、第１の面１０ａ側から第２の面１０ｂ側への液の引き込み性が促進される。毛管勾配を高める方法としては、例えば上層よりも下層の繊維の繊維径を小さくする方法が挙げられる。この場合、上層の繊維を２〜８ｄｔｅｘとし、下層の繊維を０．１〜６ｄｔｅｘとすることが好ましい。また、上層よりも下層の親水性を高めることでも、毛管勾配を高めることができる。あるいは、これら両方の手段を採用してもよい。
【００６７】
表面シート１０が２層構造のものである場合、開孔３１の端部では各層が一体化され、且つ開孔の端部付近に、繊維の熱変形に起因する膜状構造を有しないか、又は繊維の潰れを有しないことが好ましい。これによって、開孔３１の端部付近の剛性が低くなり、変形に対する柔軟性及び形状復元性が向上する。
【００６８】
次に、図３に示す表面シート１０の好ましい製造方法について説明する。表面シート１０は、図９に示す装置を用い、流体交絡法によって製造される。この装置を用いた製造方法は、（イ）繊維集合体を供給し、該繊維集合体の供給方向と直交する方向に波状構造を形成するための流体透過性支持体上に該繊維集合体を導く工程、（ロ）該支持体上に位置する該繊維集合体に流体を吹き付けて、その構成繊維をより分け畝溝構造と開孔を形成する工程、及び（ハ）引き続き該支持体上に位置する該繊維集合体に再び流体を吹き付けて、畝溝構造と開孔が形成された該繊維集合体を不織布化する工程を有する。
【００６９】
図９に示す装置４０は、流体透過性支持体５０及び第１噴射ノズル５１及び第２噴射ノズル５２を備えている。図１０に示すように、流体透過性支持体５０はロール状のものであり、その周面はメッシュ等の流体透過性材料で構成されている。支持体５０の周面には、ロールの回転方向に沿って延びる凸部と凹部とが、ロールの軸方向に交互に形成されている。これによって、表面シート１０の原料である繊維集合体５３に、その供給方向と直交する方向に波状構造を形成することができる。凸部の頂部には、ロールの回転方向に沿って断続的に形成された突起部５３４が位置している。突起部５４は、ロールの回転方向に沿って一定間隔をおいて配置されている。かつロールの軸方向でみたときに、突起部５４は一直線上に位置するように配置されている。
【００７０】
第１噴射ノズル５１及び第２噴射ノズル５２は、支持体５０の周面に対向するように配置されている。各ノズル５１，５２は、支持体５０の全幅にわたり流体を噴射できるような構造になっている。ノズル５１，５２は、表面シート１０の原料である繊維集合体５３の供給方向に関し、第１噴射ノズル５１が上流側に位置し、第２噴射ノズル５２が下流側に位置している。
【００７１】
（イ）の工程においては、繊維集合体５３は、図９中、矢印の方向に回転している流体透過性支持体５０へ供給され、該支持体５０の周面に抱かれた状態で搬送される。次いで（ロ）の工程において、支持体５０の周面上で、第１噴射ノズルから噴射された流体が繊維集合体５３に吹き付けられる。この流体の吹き付けによる圧力で、繊維集合体５３は、図１１（ａ）及び（ｂ）に示すように、支持体５０の周面に形成されている凸部５５の位置において、構成繊維のより分けが生じる。このより分けによって、構成繊維は、凸部５５間に位置する凹部５６内へ移動していく。つまり、繊維の分配が起こる。
【００７２】
また、凸部５５の頂部に突起部５４が形成されている場合には、図１１（ｃ）に示すように、構成繊維のより分けが一層促進され、突起部５５上に位置する繊維集合体５４に孔が生じる。この孔が、表面シート１０における開孔３１となる。
【００７３】
繊維集合体としては、カードウエブ等の繊維の結合や絡合が生じていないか、又はその程度が低いものや、不織布等の繊維の結合や絡合が生じているものを用いることができる。特に、不織布としては、繊維長が３０ｍｍ以下であり、かつバインダー成分をそれ自体が有しない繊維を含む不織布、具体的には、パルプ繊維の繊維間がバインダー（接着成分）によって固定されている乾式パルプシートを用いることが好ましい。
【００７４】
この工程で用いられる流体としては、水等の液体及び空気等の気体を使用することが可能である。流体の種類は、支持体５０上に導く繊維集合体によって選択する。例えば、カードウエブのように結合又は交絡のない繊維集合体を用いる場合には、空気流又は水蒸気流（スチームジェット）を使用することが好ましい。エアスルー不織布のように、結合又は交絡を有する繊維集合体を用いる場合には、水流又は水蒸気流（スチームジェット）を使用することが好ましい。これよって、繊維交絡の程度を低く抑えつつ、繊維の移動によって畝溝構造及び開孔を形成することができる。また、繊維間を詰まらせすぎないようにすることができる。このように、本工程は、繊維の移動による畝溝構造及び開孔の形成が主たるものであり、繊維の交絡の程度は低く抑えられている。
【００７５】
上述の水流とは、水等の完全な液体流を意味する。水蒸気流（スチームジェット）とは、液体状態でない水の流体流をいう。液体水流又は水蒸気流（スチームジェット）を使用した場合、繊維交絡は突起部５５の近傍に位置する繊維ほど進行し、その部分の繊維密度が高める傾向にある。特に、繊維集合体として不織布を用いた場合（すなわち再不織布化）、凸部５５では繊維交絡がほとんど行われないので、不織布が本来的に有するクッション感が維持される。一方、凹部５６及び突起部５５の近傍に位置する繊維には交絡が生じ、凸部５５に位置する繊維に対して相対的に毛管勾配（密度勾配）が大きくなる。
【００７６】
（ロ）の工程である第１噴射ノズル５１からの流体の吹き付けによって畝溝構造及び開孔が形成されたら、次いで（ハ）の工程である第２噴射ノズル５２からの流体の吹き付けによって繊維交絡が生じ、繊維集合体が不織布化（繊維集合体として不織布を用いた場合には再不織布化）される。この場合に使用する流体としては、液体水流又は水蒸気流を用いることが好ましい。これらの流体を用いることで、繊維交絡を効率的に行うことができる。なお、上述の再不織布化とは、繊維集合体として不織布を用いた場合には、前工程である畝溝構造及び開孔の形成工程において、切断又は交絡が解けた繊維を再度融着又は再度交絡させて不織布としての形態を維持させることを言う。
【００７７】
（ロ）の工程及び（ハ）の工程で繊維集合体５３に吹き付ける流体を、支持体５０の凸部５５に集中すると、支持体５０の凹部５６に比べて凸部５５の流体圧を高めることができるので、開孔性が良好となるので好ましい。また開孔の端部付近の繊維密度を高くすることができる点で好ましい。
【００７８】
（ハ）の工程において流体として水蒸気流を使用した場合、第２噴射ノズル５２からの水蒸気流を比較的低い温度である１００〜１２０℃（繊維融着温度よりも低い温度）とすることで、繊維交絡のみが行われる。水蒸気流は液体水流に比べるとエネルギー（噴射圧）が低い（流体流の分散が大きい）ので、繊維集合体として不織布を用いる場合よりも、ウエブへ吹き付けるときに用いることが好ましい。ウエブの方が不織布よりも繊維の移動が容易だからである。しかしながら、繊維集合体として不織布を用いた場合であっても、（ロ）の工程によって形成された畝溝構造及び開孔の形状が回復しない程度の弱い繊維交絡状態となる噴射圧を水蒸気流によって与えることができる。さらに、水蒸気流の温度が繊維融着温度よりも高い１３０〜１５０℃程度の場合、高い温度であっても、繊維集合体中の繊維に加わる熱量は繊維集合体全体を固化させるものではない。したがって水蒸気流の噴射圧が高い状態であっても、繊維の目詰まりを起こさせずに、繊維交点で融着を行うことができる。
【００７９】
この融着は、第２噴射ノズル５２から吹き付けられた水蒸気流によって行われるので、公知の不織布製造技術であるエアスルー法に比べると、短時間で強い圧力が繊維集合体に加わっている。そのため、繊維交点での融着が安定する前、すなわち互いの繊維の表面で広がって強固な融着点となる繊維鞘成分樹脂の流れ出しが固定化する前に圧力が取り除かれる。その結果、繊維が離間して、先に説明した図６に示すような橋渡し構造Ｂが形成される。このような橋渡し構造は、２本の繊維のうち一方の繊維の鞘成分樹脂が伸ばされて起こっていると推定される。なぜならば、この融着工程は、繊維融着を起こす状態ではあっても、熱の付与は比較的で終了するので、互いの樹脂の界面が存在する状態と考えられ、融着面を少なくするような伸長にあっては融着が剥がれてしまうと考えられるからである。このため、橋渡し構造は接合部分の面積は大きいものの、樹脂が伸ばされて細くなった部分を有している。その結果、得られた表面シート１０は、その構成繊維の自由度が向上し、柔軟性及びクッション性が良好になる。一方、エアスルー法よりも強い圧力を受けて製造されるので、２本より多い繊維の多交点が一層作られやすくなっている。このような構造によって、表面シート１０の強度が向上する。
【００８０】
橋渡し構造と多交点が併せて形成されていることによって、本製造方法によって製造される表面シート１０は強度が高く、柔軟性とクッション性が良好になっている。また、多交点に関わる繊維構造は、表面シート１０の厚みを抑える方向に繊維が配置されやすいので、橋渡し構造による部分が表面に一層露出しやすくなり、それによって柔軟性とクッション性を一層高めやすくなる。多交点構造は、第２噴射ノズル５２に近い面や開孔に近い部分で起こりやすい。橋渡し構造は、第２噴射ノズル５２から遠い面や開孔に関わる支持体５０から遠い部分で起こりやすい。
【００８１】
（ロ）の工程及び／又は（ハ）の工程で、液体水流を用いる場合には、親水性を付与するために用いられる界面活性剤が繊維表面から流れ落ちるおそれがあるので、繊維内へ界面活性剤を練り込んだものや、天然系／半天然系の親水性繊維を使用することが好ましい。あるいは、後工程において界面活性剤を塗布することが好ましい。これに対して、水蒸気流を用いると、繊維表面の界面活性剤が流れ落ちにくく、繊維の密度が高い部位に一部界面活性剤を集まりやすくすることができるという利点がある。その結果、水蒸気流を用いると、繊維集合体５５３における支持体５０の凹部５６及び突起部５４に位置する部位の繊維密度が高められるので、必然的にこれら部位の親水度を高めることができる。この効果の応用例として、繊維表面に塗布する界面活性剤又は繊維に練り込む界面活性剤として２種以上のものを使用し、その界面活性剤の耐水性を異ならせる手法が挙げられる。この手法によれば、親水勾配を一層容易に設計できるので有利である。
【００８２】
得られた表面シート１０の繊維密度を一層制御するため、（ハ）の工程の後の不織布を、熱風処理工程に付すことも好ましい。熱風処理には、不織布化の促進（繊維集合体の繊維間を結合）及び／又は繊維間の目詰まり解消の効果がある。すなわち、（ハ）の工程において、目詰まり防止の観点から、流体の吹き付け条件を弱くすることがあるところ、それに起因する繊維交絡又は繊維融着の不足を補うために熱風処理工程に付すことが好ましい。また、（ハ）の工程において目詰まりが生じた不織布の嵩を回復させ、あるいは繊維変形（捲縮又は伸長）を発現させるために熱風処理工程に付すことが好ましい。特に、（ハ）の工程で水蒸気流を用いた場合には第２噴射ノズル５２を使用するので、エアスルー法に比べて短時間で熱付与工程が完了してしまうので、熱融着状態の安定化の観点から、（ハ）の工程の後工程として、８０〜１２０℃程度の熱風処理工程を行うことが望ましい。あるいは（ハ）の工程の後工程として、急激な温度低下を起こさないようにする安定化工程を行うことが好ましい。
【００８３】
本製造方法においては、（ロ）及び（ハ）の工程で水流を使用する場合には、繊維交点に融着点を有する不織布を用いることが好ましい。この理由は、繊維交点の剥離部分による繊維の移動（密度向上部分の形成）と残存する融着点によって繊維の目詰まりを防ぐことができるからである。この場合、（ロ）の工程では、不織布の全体に略均一となるように水流を施して支持体形状に不織布を適合させ、（ハ）の工程では、開孔３１を含む溝部３０に、畝部２０よりも強い水流を吹き付けることで交絡を行い易くし、（ロ）よりも（ハ）の工程の水圧を高めることが、融着点の剥離を促し再交絡を行い易くする観点から好ましい。また、繊維集合体５３として、ウエブと不織布との積層体を用いるか、又はウエブと不織布とを供給しつつ両者を積層して繊維集合体５３を供給する方法を採用すると、（ロ）及び（ハ）の工程で両者の一体化を進めることができる。このようにして製造された不織布は、畝部２０の頂部２１から開孔３１の端部まで液を導きやすい構造（一体化構造）となる。この場合、ウエブと不織布のうち、水流が直接吹き付けられるのは、ウエブでの繊維の目詰まりを防ぐ観点から、不織布とすることが好ましい。このように（ロ）及び（ハ）の工程で水流を使用すると、図３（ｂ）のような断面形状を得やすくなる。
【００８４】
繊維集合体５３として不織布を用い、該不織布が（ロ）の工程の前で別途支持体上に導かれる場合には、得られる不織布の柔軟性及びクッション性を高めることができる。また、繊維集合体５３として不織布を用いる場合、該不織布における繊維間の結合や交絡が強いと、（ロ）の工程における繊維移動が起こりにくいことがあるので、（ロ）の工程の前に、不織布における支持体５０の凹部５６に位置すべき部位にスリット処理を施すことも好ましい。
【００８５】
以上、本発明をその好ましい実施形態に基づき説明したが、本発明は前記実施形態に制限されない。例えば、前記の各実施形態におけるナプキン１の側方溝６０は、前方領域Ｂから後方領域Ｃまでにわたって直線部分６０Ａ，６０Ｂ，６０Ｃを有していたが、これに代えて少なくとも排泄部対向領域Ａに直線部分６０Ａを有していればよい。
【００８６】
また、前記の各実施形態においては、側方溝６０における直線部分６０Ａの端部に連結している斜行部分６０Ｄ，６０Ｅは、排泄部対向領域Ａと前方領域Ｂ及び後方領域Ｃそれぞれとの境界域において、ナプキン幅方向の中央方向に向けて斜行していたが、これに代えて、斜行部分６０Ｄ，６０Ｅの少なくとも一方又は両方が、ナプキン幅方向の外方向に向けて斜行していてもよい。この場合であっても、ナプキン幅方向の中央方向に向けて斜行している場合と同様の効果が奏される。
【００８７】
また、前記の各実施形態は、本発明を生理用ナプキンに適用した例であるが、本発明はこれ以外の吸収性物品にも同様に適用できる。そのような吸収性物品としては、例えば吸血パッド、失禁パッド、使い捨ておむつ等が挙げられる。
【００８８】
また、前記の各実施形態のナプキンの包装形態の一つとして、例えば三つ折りや四つ折りなどの折り形態を適用することができる。具体的な形態については何ら制限はない。ナプキンに折り形態を適用して、ナプキンを長手方向に一回以上折る形態においては、ナプキンにおける折り曲げ位置を、側方溝６０の斜行部分に略一致させることが好ましい。その理由は、斜行部分の可撓性が高められていることに起因して、包装形態を開封したときに、ナプキンが身体にフィットするように変形しやすいからである。
【符号の説明】
【００８９】
１  生理用ナプキン(吸収性物品）
１０  表面シート
１１  裏面シート
１２  吸収体
１３  ウイング部
２０  畝部
３０  溝部
３１  開孔
６０  側方溝
６０Ａ，６０Ｂ，６０Ｃ  直線部分
６０Ｄ，６０Ｅ，６０Ｆ，６０Ｇ  斜行部分
８１  高圧搾部
８２  低圧搾部
【図１】
2010063945.tif 000003
【図２】
2010063945.tif 000004
【図３】
2010063945.tif 000005
【図４】
2010063945.tif 000006
【図５】
2010063945.tif 000007
【図６】
2010063945.tif 000008
【図７】
2010063945.tif 000009
【図８】
2010063945.tif 000010
【図９】
2010063945.tif 000011
【図１０】
2010063945.tif 000012
【図１１】
2010063945.tif 000013
【手続補正書】
【提出日】平成21年12月28日(2009.12.28)
【手続補正１】
【補正対象書類名】特許請求の範囲
【補正対象項目名】全文
【補正方法】変更
【補正の内容】
【特許請求の範囲】
【請求項１】
肌当接面側に配された液透過性の表面シート、非肌当接面側に配された裏面シート及びこれら両シート間に配された吸収体を具備する縦長の吸収性物品において、
前記物品は、排泄部対向領域と、該領域の前記物品長手前後方向に位置する前方領域及び後方領域を有し、
前記物品は、該物品の長手方向に延びる畝部と溝部を交互に有し、該溝部に開孔を有する不織布からなる前記表面シートを備え、
前記物品の長手方向に延び、かつ前記表面シート及び前記吸収体を一体的に圧縮してなる側方溝が、前記排泄部対向領域における幅方向の左右の側部域に形成されており、
前記側方溝は、前記排泄部対向領域と前記前方領域及び前記後方領域それぞれとの境界域において、幅方向の中央方向又は外方向に向かう斜行部分を有し、
前記側方溝内に、該側方溝の延びる方向に沿って、高圧搾部及び低圧搾部が交互に形成されており、
前記表面シート及び前記吸収体を一体的に圧縮してなる前方溝及び後方溝が、前記前方領域及び前記後方領域に、前記物品の幅方向に延びるようにそれぞれ形成されている吸収性物品。
【請求項２】
前記側方溝は、前記排泄部対向領域と前方領域又は後方領域との境界域において、幅方向へ向けてくびれたく字状をなしている請求項１記載の吸収性物品。
【請求項３】
前記側方溝、前方溝及び後方溝はそれぞれ、全体として連続しているとみなせる程度に不連続な圧縮部位の集合体を有している請求項１又は２記載の吸収性物品。
【請求項４】
前記畝部及び前記溝部を有する前記表面シートの実質厚みが、見掛け厚みの６０〜７０％である請求項１ないし３のいずれかに記載の吸収性物品。
【請求項５】
前記側方溝の斜行部分に略一致させて前記吸収性物品が長手方向に折られて包装されている請求項１ないし４のいずれかに記載の吸収性物品。
【手続補正２】
【補正対象書類名】明細書
【補正対象項目名】０００７
【補正方法】変更
【補正の内容】
【０００７】
本発明は、肌当接面側に配された液透過性の表面シート、非肌当接面側に配された裏面シート及びこれら両シート間に配された吸収体を具備する縦長の吸収性物品において、
前記物品は、排泄部対向領域と、該領域の前記物品長手前後方向に位置する前方領域及び後方領域を有し、
前記物品は、該物品の長手方向に延びる畝部と溝部を交互に有し、該溝部に開孔を有する不織布からなる前記表面シートを備え、
前記物品の長手方向に延び、かつ前記表面シート及び前記吸収体を一体的に圧縮してなる側方溝が、前記排泄部対向領域における幅方向の左右の側部域に形成されており、
前記側方溝は、前記排泄部対向領域と前記前方領域及び前記後方領域それぞれとの境界域において、幅方向の中央方向又は外方向に向かう斜行部分を有し、
前記側方溝内に、該側方溝の延びる方向に沿って、高圧搾部及び低圧搾部が交互に形成されており、
前記表面シート及び前記吸収体を一体的に圧縮してなる前方溝及び後方溝が、前記前方領域及び前記後方領域に、前記物品の幅方向に延びるようにそれぞれ形成されている吸収性物品を提供するものである。
【手続補正３】
【補正対象書類名】明細書
【補正対象項目名】０００８
【補正方法】変更
【補正の内容】
【０００８】
本発明の吸収性物品は、包装状態にある使用前及び使用中において、吸収体の変形に対する表面シートの追従性が良く、また表面シートの潰れが防止されるので、表面シートが吸収体から浮き上がらず、吸収性に優れ、装着感等の使用感が良好であり、通気性に優れたものとなる。更に、吸収性物品の前方領域及び後方領域において、前後方向に拡散してきた液、あるいは表面シート上を流れてきた液が吸収されやすい。